(57)【要約】【課題】構築の作業性に優れ、かつ強度が向上したデッキプレート構造物の構築方法及びデッキプレート構造物を提供する。【解決手段】梁型枠（３）及び梁型枠（３）内に梁筋部材（４）を有する梁部（１）と、梁部（１）に一体形成された床板（７）及び床板（７）と一体に連結された床筋部材（８）を有する床部（２）と、を備えるデッキプレート構造物（１０）の施工方法は、梁型枠（３）に下側梁筋部分（６）を設置する工程と、梁型枠（３）に床部（２）を一体に形成する工程と、下側梁筋部分（６）と上側梁筋部分（５）とを定着させる工程と、床筋部材（８）が存在する位置では、上側梁筋部分（５）の上側梁主筋（５２）を床筋部材（８）と交差させるようにして、上側梁筋部分（５）の、梁型枠（３）の延在方向に所定の間隔で設置されている上側梁Ｕ字筋（５１）とを繋ぐ工程と、を備える。【選択図】図２
2017179793.tif 000002
【特許請求の範囲】
【請求項１】
開口を有する梁型枠、並びに該梁型枠内でその延在方向に沿って所定の間隔で設置されている上側梁Ｕ字筋、及び、互いに隣接する上側梁Ｕ字筋を繋ぐ上側梁主筋を持つ上側梁筋部分と、前記梁型枠内でその延在方向に所定の間隔で設置されている下側梁Ｕ字筋、及び、互いに隣接する下側梁Ｕ字筋を繋ぐ下側梁主筋を持つ下側梁筋部分とが互いに定着されてなる環状の梁筋部材、を有する梁部と、
前記梁型枠の前記開口と対応する開口部が設けられ、前記梁部と一体に形成された床板、及び、前記開口部の延在方向と直交する方向に延び、かつ前記床板と一体に連結された互いに平行な複数の床筋部材、を有する床部と、
を備える、所定面積のスラブを構築するデッキプレート構造物の構築方法であって、
前記梁型枠の前記開口から当該梁型枠の内部に前記下側梁筋部分を設置する設置工程と、
前記梁型枠の前記開口と前記床板の前記開口部とを対応させた状態で、前記梁型枠に前記床部を敷設する敷設工程と、
前記下側梁Ｕ字筋と前記上側梁Ｕ字筋とを定着させる定着工程と、
前記開口部と対応する前記床筋部材の存在位置では、前記上側梁主筋を、前記延在方向において、前記床筋部材と交差させるようにして、互いに隣接する前記上側梁Ｕ字筋とを繋ぐ連結工程と、
を備えることを特徴とするデッキプレート構造物の構築方法。
【請求項２】
前記床筋部材は、
前記開口部の延在方向と直交する方向に延びる上端床主筋と、
前記上端床主筋よりも前記床板側で前記上端床主筋に沿って延在する下端床主筋と、
前記床筋部材に沿って前記上端床主筋と前記下端床主筋との間を波状に連続的に延在しながら繋いで、前記上端床主筋と前記下端床主筋とを互いに連結する連結筋と、
を備えていることを特徴とする請求項１に記載のデッキプレート構造物の構築方法。
【請求項３】
前記連結工程において、互いに隣接する前記上側梁Ｕ字筋を繋ぐ際、前記上端床主筋よりも前記床板側で前記上側梁主筋を通すことを特徴とする請求項２に記載のデッキプレート構造物の構築方法。
【請求項４】
開口を有する梁型枠、並びに該梁型枠内でその延在方向に沿って所定の間隔で設置されている上側梁Ｕ字筋、及び、互いに隣接する上側梁Ｕ字筋を繋ぐ上側梁主筋を持つ上側梁筋部分と、前記梁型枠内でその延在方向に所定の間隔で設置されている下側梁Ｕ字筋、及び、互いに隣接する下側梁Ｕ字筋を繋ぐ下側梁主筋を持つ下側梁筋部分とが互いに定着されてなる環状の梁筋部材、を有する梁部と、
前記梁型枠の前記開口と対応する開口部が設けられ、前記梁部と一体に形成された床板、及び、前記開口部の延在方向と直交する方向に延び、かつ前記床板と一体に連結された互いに平行な複数の床筋部材、を有する床部と、
を備え、
前記開口部と対応する前記床筋部材の存在位置において、前記上側梁主筋が、前記延在方向において、前記床筋部材と交差して、互いに隣接する前記上側梁Ｕ字筋とを繋いでいることを特徴とする所定面積のスラブを構築するデッキプレート構造物。
【発明の詳細な説明】
【技術分野】
【０００１】
本発明は、スラブを構築する、梁部と床部とを備えるデッキプレート構造物の構築方法及びデッキプレート構造物に関する。
【背景技術】
【０００２】
鉄筋コンクリート構造物の床スラブを構築するための構造物として、例えば大梁と大梁との間に架設された小梁を構築するために用いられる梁部と、大梁と梁部との間に架設される床を構築するために用いられる床部と、を備えるデッキプレート構造物が知られている。梁部は、構築対象の小梁の側面及び下面を覆うための型枠（梁型枠）と、梁型枠内に配置されている、梁型枠の長手方向に沿って延在している上側の梁主筋（上側梁主筋）、下側の梁主筋（下側梁主筋）、及び上下の梁主筋を囲むように所定の間隔を置いて設けられた環状の矩形枠状のあばら筋を有する梁筋部材と、を備えている。また、床部においては、所定幅の複数の鋼板からなる床板と、この床板に一体に設けられた互いに並列配置されている複数の床筋部材とを備え、当該床部が、梁部の上に敷設されている（例えば、特許文献１参照）。
【０００３】
床部の床筋部材としては、１本の上端筋（上端床主筋）と２本（一対）の下端筋（下端床主筋）と、上端床主筋と下端床主筋とを連結する２本（一対）のラチス筋（連結筋）とから組み立てられた、いわゆる鉄筋トラスが知られている（例えば、特許文献２）。
【先行技術文献】
【特許文献】
【０００４】
【特許文献１】特開２０１４−１０９１５２号公報
【特許文献２】特開２０１５−３１１３７号公報
【発明の概要】
【発明が解決しようとする課題】
【０００５】
図８に示すように従来、鉄筋コンクリート構造物用のデッキプレート構造物１００における床部は、複数の床板材１７１ａ，ｂ，ｃと、当該床板材１７１ａ，ｂ，ｃにおいてそれぞれ一体に固定されている床筋部材１８０ａ，ｂ，ｃとを備える。隣接する床板材１７１ａ，ｂ，ｃは、床筋部材１８０ａ，ｂ，ｃ同士を鉄筋１８２ａ，ｂによって繋ぐことで互いに連結されている。
梁型枠１３０の開口１３０ａと対応する床部の箇所においては、各床板材１７１ａ，ｂ，ｃは、梁型枠１３０の開口１３０ａの幅だけ互いに離間されて配置されている。つまり、従来のデッキプレート構造物１００においては、床部は、梁型枠１３０と梁型枠１３０との間に個別に敷設しなければならなかった。そのため、デッキプレート構造物１００を構築する場合には、まず、床板材１７１ａ，ｂ，ｃを梁型枠１３０に固定し、その後、床筋部材１８０ａ，ｂ，ｃの離間されている箇所を利用して、矩形枠形の一体構造の梁筋部材１４１を梁型枠１３０内に設置する。さらに、離間されている床筋部材１８０ａ，ｂ，ｃの上端筋１８１ａ，ｂ，ｃを、鉄筋１８２ａ，ｂで相互に連結することが通常であった。
【０００６】
このような、デッキプレート構造物１００においては、床筋部材１８０ａ，ｂ，ｃは梁型枠１３０の開口１３０ａ上では鉄筋１８２ａ，ｂによって連結されているだけであり、構造上は剛体とはみなすことはできない。つまり、床筋部材１８０は、後の小梁を形成する２つの梁型枠１３０，１３０の間（梁間ｌ）に架設されて、両端のみが梁型枠１３０に固定されているだけである。つまり、床筋部材１８０は構造としては単純梁を構成している。
一般的に、単純梁よりも連続梁のほうが、梁に発生するたわみが少ないことが知られており、従来のデッキプレート構造物においてはたわみを抑える、という点において改善の余地があった。つまり、互いに離間されている床板材の間、即ち梁型枠上にも床筋部材が延在していて、床筋部材がスラブの構築時に連続梁となるようなデッキプレート構造物が望まれていた。
【０００７】
そこで、本発明は、上記課題に鑑みてなされたものであり、構築性に優れ、かつ従来よりもたわみ量を抑制するデッキプレート構造物の構築方法及びデッキプレート構造物を提供することを目的とする。
【課題を解決するための手段】
【０００８】
上記目的を達成するために、本発明は、開口を有する梁型枠、並びに該梁型枠内でその延在方向に沿って所定の間隔で設置されている上側梁Ｕ字筋、及び、互いに隣接する上側梁Ｕ字筋を繋ぐ上側梁主筋を持つ上側梁筋部分と、前記梁型枠内でその延在方向に所定の間隔で設置されている下側梁Ｕ字筋、及び、互いに隣接する下側梁Ｕ字筋を繋ぐ下側梁主筋を持つ下側梁筋部分とが互いに定着されてなる環状の梁筋部材、を有する梁部と、前記梁型枠の前記開口と対応する開口部が設けられ、前記梁部と一体に形成された床板、及び、前記開口部の延在方向と直交する方向に延び、かつ前記床板と一体に連結された互いに平行な複数の床筋部材、を有する床部と、を備える、所定面積のスラブを構築するデッキプレート構造物の構築方法であって、前記梁型枠の前記開口から当該梁型枠の内部に前記下側梁筋部分を設置する設置工程と、前記梁型枠の前記開口と前記床板の前記開口部とを対応させた状態で、前記梁型枠に前記床部を敷設する敷設工程と、前記下側梁Ｕ字筋と前記上側梁Ｕ字筋とを定着させる定着工程と、前記開口部と対応する前記床筋部材の存在位置では、前記上側梁主筋を、前記延在方向において、前記床筋部材と交差させるようにして、互いに隣接する前記上側梁Ｕ字筋とを繋ぐ連結工程と、を備えることを特徴とする。
【０００９】
また、前記床筋部材は、前記開口部の延在方向と直交する方向に延びる上端床主筋と、前記上端床主筋よりも前記床板側で前記上端床主筋に沿って延在する下端床主筋と、前記床筋部材に沿って前記上端床主筋と前記下端床主筋との間を波状に連続的に延在しながら繋いで、前記上端床主筋と前記下端床主筋とを互いに連結する連結筋と、を備えていることが好ましい。
【００１０】
また、前記連結工程において、互いに隣接する前記上側梁Ｕ字筋を繋ぐ際、前記上端床主筋よりも前記床板側で前記上側梁主筋を通すことが好ましい。
【００１１】
さらに、本発明は、所定面積のスラブを構築するデッキプレート構造物であって、開口を有する梁型枠、並びに該梁型枠内でその延在方向に沿って所定の間隔で設置されている上側梁Ｕ字筋、及び、互いに隣接する上側梁Ｕ字筋を繋ぐ上側梁主筋を持つ上側梁筋部分と、前記梁型枠内でその延在方向に所定の間隔で設置されている下側梁Ｕ字筋、及び、互いに隣接する下側梁Ｕ字筋を繋ぐ下側梁主筋を持つ下側梁筋部分とが互いに定着されてなる環状の梁筋部材、を有する梁部と、前記梁型枠の前記開口と対応する開口部が設けられ、前記梁部と一体に形成された床板、及び、前記開口部の延在方向と直交する方向に延び、かつ前記床板と一体に連結された互いに平行な複数の床筋部材、を有する床部と、を備え、前記開口部と対応する前記床筋部材の存在位置において、前記上側梁主筋が、前記延在方向において、前記床筋部材と交差して、互いに隣接する前記上側梁Ｕ字筋とを繋いでいることを特徴とする。
【発明の効果】
【００１２】
本発明によれば、たわみを抑制するデッキプレート構造物を簡単に構築することができる。
【図面の簡単な説明】
【００１３】
【図１】本発明に係るデッキプレート構造物を使用したスラブの概略的な部分拡大平面図であり、一部コンクリートが除かれている。
【図２】図１のII−II線上における断面図である。
【図３】本発明に係るデッキプレート構造物の下側梁筋部分を梁型枠に設置する設置工程を説明する図である。
【図４】本発明に係るデッキプレート構造物の床部と梁型枠とを一体に形成する敷設工程を説明する図である。
【図５】本発明に係るデッキプレート構造物の下側梁筋部分に上側梁Ｕ字筋を定着させる定着工程を説明する図である。
【図６】本発明に係るデッキプレート構造物の隣接する上側梁Ｕ字筋同士を連結する連結工程を説明する図である。
【図７】（ａ）は、単純梁における等分布荷重を示す概念図であり、（ｂ）は、連続梁における等分布荷重を示す概念図である。
【図８】従来のデッキプレート構造物の断面図である。
【発明を実施するための形態】
【００１４】
本発明の好ましい実施の形態について、図面を参照しながら説明する。なお、以下に示す実施の形態は一つの例示であり、本発明の範囲において、種々の形態をとりうる。
【００１５】
図１は、本発明に係るデッキプレート構造物を使用したスラブの概略的な部分平面拡大図であり、一部コンクリートを除いて示してある。図２は、図１のII−II線上における断面図である。図３は、デッキプレート構造物の梁型枠に下側梁筋部分を設置する設置工程を説明する図であり、具体的には、図３（ａ）は、デッキプレート構造物の梁型枠の延在方向に直交した断面図であり、図３（ｂ）は、図３（ａ）のIII（ｂ）−III（ｂ）線上における断面図である。図４は、デッキプレート構造物の床部と梁型枠とを一体に形成する敷設工程を説明する図であり、具体的には、図４（ａ）は、デッキプレート構造物の梁型枠の延在方向に直交した断面図であり、図４（ｂ）は、図４（ａ）のIV（ｂ）−IV（ｂ）線上における断面図である。図５は、デッキプレート構造物の下側梁筋部分に上側梁Ｕ字筋を定着させる定着工程を説明する図であり、具体的には、図５（ａ）は、デッキプレート構造物の梁型枠の延在方向に直交した断面図であり、図５（ｂ）は、図５（ａ）のV（ｂ）−V（ｂ）線上における断面図である。図６は、デッキプレート構造物の隣接する上側梁Ｕ字筋同士を連結する連結工程を説明する図であり、具体的には、図６（ａ）は、デッキプレート構造物の梁型枠の延在方向に直交した断面図であり、図６（ｂ）は、図６（ａ）のVI（ｂ）−VI（ｂ）線上における断面図である。
【００１６】
＜デッキプレート構造物の構成＞
デッキプレート構造物１０は、床スラブや、天井スラブ、屋根スラブ等の所定の面積のスラブＳを構築するために用いられるものである。図１及び図２に示すように、デッキプレート構造物１０は、図示しない大梁と大梁との間に架設される小梁Ｂを構築するために用いられる梁部１と、スラブＳの床を構築するために用いられる床部２と、を備えている。
【００１７】
［梁部］
梁部１は、鉄筋が組み込まれたコンクリート造の梁、特に小梁Ｂを構築するために用いられる部分であり、梁型枠３と、梁型枠３内に配置されている梁筋部材４と、を備えている。
【００１８】
（梁型枠）
梁型枠３は、当該梁型枠３の延在方向と直交する方向に断面した形状が略Ｕ字形であり、上方に向かって開放した開口３ａを有している。なお、梁型枠３は木製であることが好ましい。
梁型枠３は開口３ａが設けられている上端側で、その延在方向に沿って互いに平行に延びる２本（一対）の横桟木３１と、所定の間隔を置いて互いに、対向した状態で横桟木３１に固定されている縦桟木３２と、対向する縦桟木３２を、開口３ａとは反対側の下端側で互いに連結する下桟木３３と、を有する。
さらに、梁型枠３は、その延在方向に沿って、横桟木３１及び縦桟木３２の梁筋部材４を臨む側の面に固定された一対の側枠板３４と、一対の側枠板３４の間で、開口３ａと対向するように下桟木３３上に固定された下枠板３５と、を有する。
【００１９】
（梁筋部材）
梁筋部材４は、複数の鉄筋から構成されている断面略矩形状のものである。具体的には、梁筋部材４は、２つの別体の上側梁筋部分５と、下側梁筋部分６とを持ち、両梁筋部分５，６が互いに定着されて環状の略矩形状に形成されている。
【００２０】
上側梁筋部分５は、梁型枠３内でその延在方向に沿って所定の間隔で設置されている上側梁Ｕ字筋５１と、互いに隣接する上側梁Ｕ字筋５１を繋ぐ複数の上側梁主筋５２と、を有する。
上側梁Ｕ字筋５１は、延伸された断面円形の鉄筋を略Ｕ字形に曲げて形成したものである。上側梁Ｕ字筋５１は、下側梁筋部分６と定着される２つの定着腕部５１ａと、定着腕部５１ａを連結する連結腕部５１ｂとを有する。上側梁Ｕ字筋５１の定着腕部５１ａは、連結腕部５１ｂの両端から、梁型枠３の下枠板３５へ向かって延びる。上側梁Ｕ字筋５１の連結腕部５１ｂは、梁型枠３の延在方向に直交する水平方向に延びるように設置されている。
上側梁主筋５２は、延伸されて断面円形状に形成された鉄筋である。上側梁主筋５２は、各定着腕部５１ａと連結腕部５１ｂとがなす各角隅部に位置している。各上側梁主筋５２の長さは、一対の隣接する上側梁Ｕ字筋５１同士の少なくとも間隔長に対応している。
なお、上側梁主筋５２の長さは、上側梁主筋５２同士のつなぎ部での定着長を確保していれば、連続して隣接する３つ以上の上側梁Ｕ字筋５１同士を繋ぐ長さ寸法であってもよく、施工状況により自由に設定可能である。
【００２１】
下側梁筋部分６は、梁型枠３内でその延在方向に沿って所定の間隔で設置されている下側梁Ｕ字筋６１と、互いに隣接する下側梁Ｕ字筋６１を繋ぐ下側梁主筋６２と、を有する。
下側梁Ｕ字筋６１は、延伸された断面円形の鉄筋を略Ｕ字形に曲げて形成したものである。下側梁Ｕ字筋６１は、上側梁Ｕ字筋５１の定着腕部５１ａと定着される２つの定着腕部６１ａと、定着腕部６１ａを連結する連結腕部６１ｂとを有する。下側梁Ｕ字筋６１の定着腕部６１ａは、連結腕部６１ｂの両端から、梁型枠３の開口３ａに向かって延びる。下側梁Ｕ字筋６１の連結腕部６１ｂは、梁型枠３の延在方向に対して直交する水平方向に延びるように設置されている。
下側梁主筋６２は、延伸されて断面円形状に形成された鉄筋である。下側梁主筋６２は、各定着腕部６１ａと連結腕部６１ｂとがなす角隅部に位置している。
【００２２】
なお、上側梁筋部分５と下側梁筋部分６とは、それぞれの定着腕部５１ａ，６１ａとを所定の結束線Ｗによって互いに結束することで、互いに定着されている。
【００２３】
［床部］
床部２は、鉄筋が組み込まれたコンクリート造のスラブＳを構築するための部分（鉄筋組込デッキプレート）であり、鋼板、例えば溶融亜鉛めっき鋼板からなる複数の床板材（デッキ）７１ａ，ｂ，ｃを有する床板７と、床板７に一体に連結された床筋部材８と、を備える。
【００２４】
床部２は、複数の梁型枠３上に敷設されている。床部２の床板７は、図１に示すように、梁型枠３の開口３ａと対応する開口部７ａを有している。後述する床筋部材８が、開口部７ａを跨いで各床板材７１ａ，ｂ，ｃと一体に溶接されている。開口部７ａは、各床板材７１ａ，ｂ，ｃが梁型枠３の開口３ａの幅だけ互いに離間配置されることにより形成されている。
床部２が梁型枠３に敷設される場合、開口部７ａ近傍の床板材７１ａ，ｂ，ｃの端部と、梁型枠３の横桟木３１とが、例えば釘を用いて互いに固定されている。
【００２５】
（床筋部材）
床筋部材８は、複数の鉄筋部材を互いに連結して組み立てた構造体である。床筋部材８は梁型枠３の開口３ａをその延在方向に対して直交する水平方向に配置され、溶接、例えばスポット溶接により床板７に固定されている。床筋部材８は、床板７の開口部７ａの延在方向に直交する水平方向の一端から他端にわたって連続して延在して、スラブＳが構築された場合には連続梁を構成している。開口部７ａの延在方向に直交する水平方向に配置された複数の床筋部材８は、床板７上で互いに平行に延在している。
なお、床筋部材８の配置間隔（ピッチ）は、自由に設定可能である。
【００２６】
床筋部材８は、いわゆる鉄筋トラスであり、床板７の開口部７ａの延在方向と直交する水平方向に延びる上端床主筋８１と、上端床主筋８１よりも床板７側で上端床主筋８１に沿って延在する下端床主筋８２と、床筋部材８の延在方向に沿って、上端床主筋８１と下端床主筋８２とを互いに連結する連結筋８３と、を備えている。
【００２７】
上端床主筋８１は、鉄を延伸することで形成された異形鉄筋であるが、断面円形の鉄筋であってもよい。上端床主筋８１は、床板７の開口部７ａの延在方向に直交する水平方向の一端から他端にわたって連続して延在している。
下端床主筋８２は、上端床主筋８１に対して略平行な平面において対をなして位置する。下端床主筋８２は、鉄を延伸することで形成された一対の異形鉄筋であるが、断面円形の鉄筋であってもよい。下端床主筋８２は、上端床主筋８１に沿って上端床主筋８１の下方、つまり、床板７側で延在している。一対の下端床主筋８２は、開口部７ａの延在方向に沿った方向で、互いに所定の間隔をおいて離間しており、上端床主筋８１を空間的に間に挟む位置関係になっている（図１参照）。
【００２８】
連結筋８３は、上端床主筋８１と下端床主筋８２との間を波状に連続的に延在して、上端床主筋８１及び各下端床主筋８２を繋ぐ一対のラチス筋である。連結筋８３は、鉄を延伸することで形成された断面円形の鉄筋である。連結筋８３は、上端床主筋８１と下端床主筋８２との間を、床筋部材８の延在方向に沿って上下に波形状をなして延在している。
連結筋８３は、図１に示すように、上端床主筋８１を中心として上記の波形状が鏡面対称となるように延在している。一対の連結筋８３の上端は上端床主筋８１に溶接により固定されている。一対の連結筋８３の下端は床板７に溶接されている。一対の連結筋８３は、床板７から離間する上方へ所定の距離だけ離れた箇所で、一対の下端床主筋８２と溶接により固定されている。一対の連結筋８３は、開口部７ａの延在方向において一対の下端床主筋８２の間に配置されていて、床板７側から上端床主筋８１に向かって所定の角度で、互いに接近するように傾斜している。
【００２９】
床筋部材８は上端床主筋８１から、開口部７ａに向かって下方に延在する、側面視略クランク形状の端部筋８４をさらに有する。端部筋８４は、鉄を延伸することで形成された異形鉄筋であるが、断面円形の鉄筋であってもよい。端部筋８４は、床筋部材８にかかる鉛直方向での荷重に対する補強部材である。端部筋８４の上端は、上端床主筋８１に溶接されており、下端部は床板７に溶接されている。
【００３０】
ここで、デッキプレート構造物１０を構築する前に実施される、床部２を構築する方法について説明する。
まず、所定の面積を有する床板７に、所定のピッチ間隔で複数の床筋部材８を並列して配置する。床筋部材８は、床筋部材８の各構成部材同士を互いに溶接してトラス状に組み立てた後、床板７に溶接により固定される。
なお、床板７の床板材７１の設置数量は任意選択可能である。
【００３１】
床部２には、上述のように梁型枠３の開口３ａに対応した位置に開口３ａの幅だけ床板材７１ａ，ｂ，ｃがない区域を有するものとする。具体的には、床板７には、梁型枠３の延在方向、つまり、床筋部材８の延在方向に直交する水平方向に沿って、板材のない帯状の不設置区域（開口部７ａ）がある。各床板材７１ａ，ｂ，ｃの間には開口部７ａが形成されているが、各床板材７１ａ，ｂ，ｃが連結された状態では床筋部材８は開口部７ａの延在方向に直交する水平方向に延在している。したがって、床部２の床板７は、複数の床板材７１ａ，ｂ，ｃが床筋部材８を介して連結された状態を形成する。床部２は、複数の床板材７１ａ，ｂ，ｃと床筋部材８との一体構成である。
【００３２】
＜デッキプレート構造物の構築方法＞
次に、図３〜図６を用いて、デッキプレート構造物１０の構築方法について説明する。
まず、図３（ａ）、（ｂ）に示すように、梁型枠３内に、梁型枠３の延在長に対応する長さの下側梁筋部分６（６１，６２）を設置する（設置工程）。具体的には、下側梁Ｕ字筋６１の連結腕部６１ｂが梁型枠３の下枠板３５に接触し、かつ当該下枠板３５から定着腕部６１ａが開口３ａに向かって延びるように、下側梁筋部分６を梁型枠３内に設置する。
【００３３】
次に、図４（ａ）、（ｂ）に示すように、床板７と床筋部材８が一体に連結された所定の大きさの床部２を、床板７の開口部７ａと、梁型枠３の開口３ａとが対向するように梁型枠３に敷設する。その敷設後、開口部７ａ近傍の床板材７１ａ，ｂ，ｃの端部と、梁型枠３の横桟木３１とを、梁型枠３の横桟木３１に沿って複数箇所で、例えば釘打ちをして固定して、梁型枠３上に床部２を敷設する（敷設工程）。
【００３４】
次いで、図５（ａ）、（ｂ）に示すように、梁型枠３内に設置されている下側梁筋部分６の、下側梁Ｕ字筋６１のそれぞれに、上側梁筋部分５の上側梁Ｕ字筋５１を定着する（定着工程）。具体的には、上側梁Ｕ字筋５１の定着腕部５１ａが梁型枠３の下枠板３５に向かって延びるように、梁型枠３の開口３ａから上側梁Ｕ字筋５１挿入して、上側梁Ｕ字筋５１の定着腕部５１ａと下側梁Ｕ字筋６１の定着腕部６１ａとを互いにラップさせて（重ね合わせて）、結束線Ｗを用いて互いに固定する（図６（ａ）参照）。
【００３５】
その後、具体的に図６（ｂ）に示すように、開口部７ａと対応する床筋部材８の存在位置では、上側梁主筋５２を、床筋部材８と直交する水平方向において、床筋部材８と交差させるようにして、互いに隣接する上側梁Ｕ字筋５１同士とを繋ぐ（連結工程）。具体的には、床筋部材８を挟んで隣接する上側梁Ｕ字筋５１同士の少なくとも間隔長に、他の上側梁主筋５２と定着に必要な所定の定着長を加えた長さの上側梁主筋５２を、下側梁Ｕ字筋６１と上側梁Ｕ字筋５１との定着により形成された矩形枠状の環の中を通す。次いで、上側梁主筋５２を上側梁Ｕ字筋５１の定着腕部５１ａと連結腕部５１ｂとの各角隅部で、結束線（図示せず）を用いて上側梁Ｕ字筋５１に固定する。これにより、梁型枠３の一端から他端にわたって複数の上側梁主筋５２が延在して、梁筋部材４が完成すると共に、デッキプレート構造物１０が構築される（図２左方部分参照）。
【００３６】
そして、さらに、梁型枠３内にコンクリートを、床筋部材８の上端床主筋８１が埋まるまで打設する。コンクリートの養生後に、梁型枠３を解体することにより、スラブＳが完成する（図２右方部分参照）。
【００３７】
＜作用、効果＞
以上のようなデッキプレート構造物１０によれば、梁筋部材４が、２つの上側梁筋部分５及び下側梁筋部分６により構成されているので、図８に示した従来のデッキプレート構造物１００の場合と異なり、床筋部材１８０ａ，ｂ，ｃのように、梁型枠３の部分において床筋部材８を分離しなくても梁型枠３内に梁筋部材４を設置することができる。
床筋部材８は分離されていないので、従来のデッキプレート構造物１００のように、梁筋部材１４１の設置後に、床筋部材１８０ａ，ｂ，ｃ同士を個別に鉄筋１８２ａ，ｂで繋ぐ必要もない。
【００３８】
このデッキプレート構造物１０にコンクリートを打設して、梁部１及び床部２を一体化した場合、デッキプレート構造物１０における床筋部材８は連続梁を構成することになる。つまり、強度の高い床筋部材８が小梁Ｂ上にも存在しているので、床筋部材８に発生するたわみは抑制され、高い安全性を備えたスラブＳを構築することができる。
【００３９】
ここで、図７に基づいて、単純梁及び連続梁に等分布荷重をかけた際のたわみについて説明する。図７（ａ）は単純梁における等分布荷重を示す概念図であり、図７（ｂ）は連続梁における等分布荷重を示す概念図である。
従来のデッキプレート構造物１００は、互いに分離している床筋部材１８０ａ，ｂ，ｃがそれぞれ互いに１本の鉄筋１８２ａ，ｂによってのみ連結されている。そのため、床筋部材１８０ａ，ｂ同士の結合状態はヒンジ結合となり構造としては単純梁を構成する。
単純梁においては、図７（ａ）に示すように、両端の２点支持となる。一般的に単純梁におけるたわみ量（δ１）は下記の式（１）を用いて算出される。
【００４０】
δ１＝５・ｗ・ｌ４／(３８４・Ｅ・Ｉ)・・・・・（１）
ｌ（ｍ）：スパン（梁間）
ｗ（ｋＮ／ｍ）：分布荷重
Ｅ（×１０５Ｎ／ｍｍ２）：ヤング係数
Ｉ（×１０４ｍｍ４）
【００４１】
これに対して上記の実施の形態に係るデッキプレート構造物１０は、強度の高い部材である床筋部材８を梁上においても連続的に配置することができるので、剛性の高い連続梁を構成することになる。
連続梁においては、図７（ｂ）に示すように、両端及びその中間における３点支持となる。一般的に連続梁におけるたわみ量（δ２）は、下記の式（２）を用いて算出される。
δ２＝ｗ・ｌ４／(１８５・Ｅ・Ｉ) ・・・・・（２）
【００４２】
仮に、ｌ＝２．０ｍ、ｗ＝１０ｋＮ、Ｅ＝２．０５×１０５Ｎ／ｍｍ２、Ｉ＝１２０×１０４ｍｍ４として、上記の式（１），（２）にそれぞれ代入して計算すると、
δ１＝８．４７ｍｍ
δ２＝３．５２ｍｍ
となる（δ１＞δ２）。床筋部材８を連続梁が構成されるように設置した上記の実施の形態に係るデッキプレート構造物１０においては、床筋部材１８０を単純梁が構成されるように設置した従来のデッキプレート構造物１００よりも、床筋部材８に発生する、ひいてはスラブＳに発生するたわみ量（δ）を小さく抑えることができる。
【００４３】
さらに、床筋部材８が床板７の開口部７ａを跨いだ状態で連続し、互いに離間している床板材７１ａ，ｂ，ｃと床筋部材８とが一体構造の床部２を複数の梁型枠３上に敷設することができるので、デッキプレート構造物１０の構築の作業負担は減じられる。
【００４４】
さらに、図８に示した従来の一体となった梁筋部材１４１のように構成されている場合とは異なり、梁筋部材４を、上側梁筋部分５及び下側梁筋部分６とに分けて構成したことにより、梁筋部材４の設置及び搬送の負担を軽減することができる。
【符号の説明】
【００４５】
１  梁部
２  床部
３  梁型枠
３ａ  開口
４  梁筋部材
５  上側梁筋部分
６  下側梁筋部分
７  床板
７ａ  開口部
８  床筋部材
１０  デッキプレート構造物
５１  上側梁Ｕ字筋
５１ａ  定着腕部
５１ｂ  連結腕部
５２  上側梁主筋
６１  下側梁Ｕ字筋
６１ａ  定着腕部
６１ｂ  連結腕部
６２  下側梁主筋
７１ａ，ｂ，ｃ  床板材
８１  上端床主筋
８２  下端床主筋
８３  連結筋
【図１】
2017179793.tif 000003
【図２】
2017179793.tif 000004
【図３】
2017179793.tif 000005
【図４】
2017179793.tif 000006
【図５】
2017179793.tif 000007
【図６】
2017179793.tif 000008
【図７】
2017179793.tif 000009
【図８】
2017179793.tif 000010